(57)【要約】【課題】  ベルトを装着や取り外しの際に、装着者の体を必要以上に締め付けることがないと共に操作が容易であるべルト用バックル及びベルトを提供することを目的とする。【解決手段】  前面部２と、該前面部２裏側に所定間隔を隔てて配設されたベルト本体係止部３と、該ベルト本体係止部３と前面部２との間に挿通させるベルト本体１３を所定位置に固定するための係止部材５とを有し、該係止部材５はベルト本体１３に係止突起６を付勢して係止状態となるように構成されていると共に、先端が上記前面部２の裏側の範囲よりも外側に突出するように係止突起６の係止状態を解除するための操作用摘み１４が設けられているバックル本体３０と、バックル本体３０が前面部２に向かって回動するように、前記バックル本体３０のベルト本体１３側端部に設けられたベルト本体取り付け部材２０とからベルト用バックル１を構成した。【選択図】  図１
2005218698.tif 000002
【特許請求の範囲】
【請求項１】
前面部と、該前面部裏側に所定間隔を隔てて配設されたベルト本体係止部と、該ベルト本体係止部と前面部との間に挿通させるベルト本体を所定位置に固定するための係止部材とを有し、該係止部材はベルト本体に係止突起を付勢して係止状態となるように構成されていると共に、先端が上記前面部の裏側の範囲よりも外側に突出するように係止突起の係止状態を解除するための操作用摘みが設けられているバックル本体と、バックル本体が前面部に向かって回動するように前記バックル本体のベルト本体側端部に設けられたベルト本体取り付け部材とから構成されていることを特徴とするベルト用バックル。
【請求項２】
請求項1記載のベルト用バックルを帯状のベルト本体の端部に取り付けてなることを特徴とするベルト。
【発明の詳細な説明】
【技術分野】
【０００１】
本発明は装身具としてのベルト及びベルト用バックルに関する。
【背景技術】
【０００２】
従来、ベルト用バックルとして、前面部と、該前面部裏側に設けられた係止部とを有し、係止部は、固定部とそれに対して回動可能に設けられた可動部とからなり、可動部に係止部材が設けられていて、該可動部を回動させて固定部に対して折り曲げた形とすることによって係止部材がベルトを押し付ける力が解放され、その状態でのみベルトをバックルに挿通できるようになっており、可動部が固定部に対して非折り曲げ状態でのみベルトを係止部材によって前面部との間に位置固定できるようになっているものが知られている(例えば、特許文献1参照)。
【０００３】
しかしながら、上記従来のバックルが設けられたベルトは、体に装着する際には、バックルにベルト本体を通す時に係止部によるベルトの係止力を解除するためにいちいちバックルの係止部を折り曲げてベルトを挿通しなければならず、手間が掛かると共に係止部を折り曲げるために、ベルトの巻き付き径を小さくして体を締め付けていた。また、体に装着したものを体から取り外す際も上記と同様、操作に手間が掛かると共に装着者に苦痛を与えるものであった。
【０００４】
そこで本願出願は、先に上記欠点を解消してなるベルト用バックルを用いたベルト提案している(特許文献2参照)。
【０００５】
【特許文献１】実公昭43-9051号公報
【特許文献２】特開平10-174606号公報
【発明の開示】
【発明が解決しようとする課題】
【０００６】
上記特許文献2に記載のベルトは、体に装着する際、ベルト本体をバックルに単に挿通するだけでよく、また取り外しの際は、操作用摘みを抑えてベルト本体を引き抜くだけでよ。従来の特許文献1等に記載されたベルトと比較して、バックルの係止部を折曲げたり、ベルトの巻き付き径を小さくする必要などがないという利点がある。しかし取り外しの際に、以下の問題点があることが判った。
【０００７】
特許文献2記載のベルトを外す際に、身体とベルトのバックルに設けられた操作用摘みとの間に、指を入れて該摘みを抑えてバックルからベルトを抜き取る操作を行なう必要がある。ところが、身体とベルトの間に指を入れる操作は、バックルと身体の間の隙間が小さいために、隙間に指を入れ難いという問題があった。また隙間を作って指を差し込むのは身体に指が食い込んで、使用者が不快な思いをする。また隙間を作るためにバックルを身体から離れるように引っ張ると、バックルとベルト本体の接合部分が身体に食い込んで締め付けられるという不具合があった。
【０００８】
本発明は、上記従来の欠点を解消するためになされたものであり、ベルトを装着や取り外しの際に、装着者の体を必要以上に締め付けることがないと共に操作が容易であるべルト用バックル及びベルトを提供することを目的とする。
【課題を解決するための手段】
【０００９】
本発明は、
（１）前面部と、該前面部裏側に所定間隔を隔てて配設されたベルト本体係止部と、該ベルト本体係止部と前面部との間に挿通させるベルト本体を所定位置に固定するための係止部材とを有し、該係止部材はベルト本体に係止突起を付勢して係止状態となるように構成されていると共に、先端が上記前面部の裏側の範囲よりも外側に突出するように係止突起の係止状態を解除するための操作用摘みが設けられているバックル本体と、バックル本体が前面部に向かって回動するように前記バックル本体のベルト本体側端部に設けられたベルト本体取り付け部材とから構成されていることを特徴とするベルト用バックル、
（２）上記（１）記載のベルト用バックルを帯状のベルト本体の端部に取り付けてなることを特徴とするベルト、
を要旨とする。
【発明の効果】
【００１０】
本発明は上記構成を採用したことにより、ベルトを装着や取り外しの際に、装着者の体を必要以上に締め付けることがないと共に操作が容易であるべルト用バックル及びベルトが得られる。
【発明を実施するための最良の形態】
【００１１】
以下、本発明を図面に基づき詳細に説明する。図１は本発明のベルト用バックルの一例を示す裏面側から見た斜視図、図２は上記ベルト用バックルの表面側を上にした中央横断面図である。ベルト用バックル１は、図１、図２に示すように、前面部２と、該前面部２の裏側に所定間隔を隔てて配設されたベルト本体係止部３とを有してなる。
【００１２】
図３はベルト本体係止部３を裏側方向から見た一部透視図、図４はベルト本体係止部３を表側方向から見た分解斜視図である。上記ベルト本体係止部３は、図３、図４に示すように、枢軸４と、係止突起６が設けられた係止部材５と、コイルバネ７と、操作用摘み付き被覆部材８とから構成されている。枢軸４は、前面部２の裏側における上下両端部付近から、前面部２の裏側に立設させられた立設縁９，９の一部に対向して設けられた支持部１０，１０の間に渡されて固定されている。また係止部材５はその両端部で上記枢軸４に枢支されている。なお、本発明において、「上下」とは実際に身体にベルトを装着した際の上下をいい、「前面」又は「裏面」とは、同様に実際にベルト装着した場合の身体側となる方を裏面と言い反対側の表面を前面と言う。
【００１３】
枢軸４には、係止部材５がその両端部で枢支されている。係止部材５の中央部には枢軸４に巻き付けられたコイルバネ７が収まる空間１１があり、該空間１１内にコイルバネ７が収まるようにして枢軸４に枢支されている。
【００１４】
枢軸４の周囲にはコイルバネ７が巻き付けられており、コイルバネの一端は折り曲げられており、該折り曲げ部分が、枢軸４にその軸方向に沿って設けられた溝１２内に係止されている。また、コイルバネ７の他端は係止部材５に当接されている。
【００１５】
そして、コイルバネ７の回転方向の弾力により、係止部材５の係止突起６が、前面部２との間に通されるベルト本体１３に常時押し付けられるように、係止部材５が付勢されている。この弾力的付勢方向は、図６中、矢印ａで示されている。
【００１６】
係止部材５には、操作用摘み付き被覆部材８が設けられている。該被覆部材８は、係止部材５の両端部及びその間における枢軸４及びコイルバネ７を前面部２に対して裏側方向から覆い且つ両側が枢軸４に枢支されて設けられている。これにより、枢軸４とコイルバネ７は外部に露出しないので、係止部３を操作する際に指等を傷付ける虞れがなく、また衣服が挟まる虞れもない。
【００１７】
また、被覆部材８の、係止部材５とは反対側外周面は円柱の側表面状に形成されており、その表面は滑らかになっている。このようになっていると、係止突起６をベルト本体１３から放したり元に戻したりすることを繰り返しても、被覆部材８の表面に当たる衣服を傷付けることなく、しかもスムーズに操作できる。
【００１８】
１４は被覆部材８における操作用摘みであり、該操作用摘み８は、ベルト本体１３を係止するための係止部材５の回転方向の弾力に抗って係止状態を解除するために用いるものであり、その先端が上記前面部２の裏側の範囲よりも外側に突出している。
【００１９】
本実施例においては、図１、図２に示すように、立設縁９，９における、前記支持部１０，１０とは別の位置には、前面部２と所定間隔を隔てるようにして配置された架橋部１５が渡されている。該架橋部１５は立設縁９，９と一体的に設けられている。上記架橋部１５に対して係止部材５を挟んで略反対側位置(即ちベルト本体の取り付け側)には、支持部１０，１０から延設されてなる取り付け部材支持部１６が設けられている。
【００２０】
図1に示すように本発明ベルト用バックルは、前面部２及びベルト本体係止部３からなるバックル本体３０と、該バックル本体３０のベルト側端部に回動可能に設けられたベルト取り付け部材２０とから構成される。
【００２１】
ベルト本体取り付け部材２０は、一端がベルト本体を支持するための支持杆２１として形成され、他の端部側が取り付け部材支持部１６に回動可能に支持されている。このベルト本体取り付け部材２０が回動可能に支持されるとは、少なくとも図８に示すバックル１の前面部２とベルト本体係止部を含むバックル本体３０がベルト本体１３とほぼ直線状に位置する状態から、図９に示すバックル本体３０の前面部２側(図中矢印Ｐで示す)に向かって回動するように形成されていれば良い。
【００２２】
また、上記ベルト本体取り付け部材に対するバックル本体の回動方向は、ベルト本体係止部の係止状態を解除するための操作用摘み１４の押す方向と同一方向であることが好ましい。
【００２３】
ベルト本体取り付け部材２０に対するバックル本体３０の具体的な支持機構は、上記の様に回動可能なものであれば特に限定されないが、例えば、図１に示す態様のバックル１では、該バックル本体３０の上下方向に設けられた取り付け部材支持部１６、１６に、それぞれを上下方向に貫通する貫通穴が設けられている。一方、ベルト本体取り付け部材２０の対応する部分に上下方向端部が前記貫通穴に挿通可能に形成されたに支持杆２２が設けられている。バックル本体３０の支持部１６、１６を上下方向に広げた状態で上記支持杆２２を貫通穴に挿通した後、支持部１６、１６の幅を狭めて支持杆２２の上下端部が外れないように軸支して構成されている。
【００２４】
ベルト本体取り付け部材２０の支持杆２２とは反対側の端部には、ベルト本体１３を取付けるための取り付け部２１が設けられている。取り付け部２１は、ベルト本体１３を巻付けることが可能に形成されている。
【００２５】
バックル本体３０では、前面部２とベルト本体係止部３との間、及び前面部２と架橋部１５との間、及び前面部２と取り付け部材支持部１６との間に形成されている空隙部が、ベルト本体挿通部１７として構成されている。
【００２６】
以下、本発明のベルトについて説明する。本発明のベルトＢは、図1に示すように、上記した如きベルト用バックル１のベルト本体取り付け部材２０に、帯状のベルト本体１３を取り付けて構成したものである。ベルト用バックル１の、ベルト本体への取り付け態様としては、例えば図１に示すように、ベルト本体１３の先端をベルト本体取り付け部材２０のベルト巻き付け部２１に通して支持杆２２に巻き付けて折り返し、先端をベルト本体１３の内側に重ねて、この重ね合わせ部を縫着等の手段により結合して構成することができる。
【００２７】
また図１に示すように、ベルト本体１３の折り返した重ね合わせ部を逢着せずに、ベルト固定金具４１を取り付けて、ベルト固定金具４１により重ね合わせ部を圧着することで固定しても良い。なお、図１のベルト固定金具４１にはベルト抑え４０が設けられている。
【００２８】
ベルト本体１３としては、皮革製、合成皮革製、プラスチック製、布製等、従来公知のものを用いることができる。
【００２９】
また図８に示すように、ベルト本体１３は、係止部材５の係止突起６に向く側の適当箇所に、適当深さの凹条１８が適当間隔で複数個設けられているのが好ましい。このように構成されていると、係止突起６がより強力にベルト本体１３に引っ掛かる。
【００３０】
次に、本発明のベルト用バックルの作用について説明する。
まず、本発明のベルト用バックルを設けたベルトを体に装着するに当たっては、図５に示すように、ベルト本体１３をその先端側からベルト本体挿通部１７の架橋部１５側からベルト本体挿通部１７に通していく。この時、操作用摘み１４は、同図に示すように操作しなくとも、或いは図７に示すように、操作用摘み１４を、弾力に逆らって前面部２側へ向けて押すことにより、ベルト本体１３の位置を固定する力を解放する方向へ操作しても、どちらでもよい。
【００３１】
図６はベルト本体１３が係止部材５によって位置固定された状態を示す図である。この状態では、係止突起６がベルト本体１３を前面部２に、図中矢印ａ方向の力によって弾力的に押しつけており、それによってベルト本体１３は前面部２と係止部材５とによって弾力的に挟まれた格好となり、ベルト本体１３を引き抜く方向の力に対して確実に位置固定される。従って、故意に操作用摘み１４を操作して上記弾力を解放しない限りベルト本体１３はベルト用バックル１から引き抜けず、ベルトは体から取り外されることはない。
【００３２】
次に、体に装着したベルトを体から取り外すには、図７に示すように、操作用摘み１４を弾力に逆らって前面部２側（図中、矢印ｂ方向）へ向けて押しながら、ベルト本体１３をベルト用バックル１から引き抜けばよい。
【００３３】
このとき図１０（ａ）に示すように、ベルトＢを身体Ｋに装着した状態ではベルトＢと身体Ｋとの間は密着した状態であり隙間がほとんどないが、操作用摘み１４を前面部側に押してベルト本体を引き抜く際、バックル本体３０はベルト本体取り付け部材２０から身体Ｋとは反対方向に回動可能であるから、操作用摘み１４を押した初期の状態でバックル本体３０が外側に回動する。そして、身体Ｋとバックル本体３０との間に空隙が大きく形成される。そのため操作用摘み１４の操作する際、指が身体に食い込んだりしないので、装着者の体を必要以上に締め付けず容易に行なうことができる。さらにベルト本体１３を引き抜く場合に、角度が大きくなるために引き抜きが極めてスムーズに行なわれる。
【００３４】
また上記した様に、操作用摘み１４の操作方向とバックル本体３０のベルト本体取り付け部材２０に対する回動方向とが、同一方向である場合、特にベルト本体の引き抜きが容易に行なえる。
【図面の簡単な説明】
【００３５】
【図１】本発明のベルトの一例を示す裏側から見た斜視図である。
【図２】本発明のベルト用バックルの表側を上にした中央横断面図である。
【図３】ベルト用バックルのベルト本体係止部を示す一部透視図である。
【図４】ベルト用バックルのベルト本体係止部を示す分解斜視図である。
【図５】本発明のベルトを体に装着する時の操作手順について説明するための説明図である。
【図６】本発明のベルトを体に装着した状態を示す図である。
【図７】本発明のベルトを体から取り外す時の操作手順について説明するための説明図である。
【図８】図１のベルトの表側を上にした中央横断面図である。
【図９】図８のベルトのバックル本体を回動させた状態を示す図である。
【図１０】(a)、(b)は図１のベルトを装着する場合の説明図である。
【符号の説明】
【００３６】
Ｂ  ベルト
１  ベルト用バックル
２  前面部
３  ベルト本体係止部
４  枢軸
５  係止部材
６  係止突起
７  コイルバネ
８  被覆部材
１０  支持部
１３  ベルト本体
１４  操作用摘み
１５  ベルト本体を係止するための係止部材
１６  取り付け部材支持部
１７  ベルト本体挿通部
１８  凹条
２０  ベルト本体取り付け部材
２２  ベルト本体取り付け部材の支持杆
３０  バックル本体
【図１】
2005218698.tif 000003
【図２】
2005218698.tif 000004
【図３】
2005218698.tif 000005
【図４】
2005218698.tif 000006
【図５】
2005218698.tif 000007
【図６】
2005218698.tif 000008
【図７】
2005218698.tif 000009
【図８】
2005218698.tif 000010
【図９】
2005218698.tif 000011
【図１０】
2005218698.tif 000012